(57)【要約】      （修正有）【課題】表示パネルを備える電気光学装置の電源がオン状態からオフ状態へ遷移する際に、表示パネルにユーザが意図しない表示が為されてしまうことを抑制する電気光学装置、電子機器、及び電気光学装置の制御方法を提供する。【解決手段】画素電極、TFT、並びにTFTに接続された走査線112及びデータ線114を備える第１基板と、共通電極を備える第２基板と、第１基板と第２基板との間に設けられた電気光学物質と、データ電圧を画素電極に供給する駆動回路部150と、共通電極に共通電位を供給する第１電源部151と、駆動回路部150に電源電位を供給する第２電源部153とを備える電気光学装置1であって、。当該電気光学装置1の電源をオン状態からオフ状態へ遷移させる場合、共通電位の出力を停止するように第１電源部151を制御してから所定時間経過後、電源電位の出力を停止するように第２電源部153を制御する。【選択図】図１
2015045717.tif 000002
【特許請求の範囲】
【請求項１】
画素電極、当該画素電極に接続されたスイッチング素子、並びに、該スイッチング素子に接続された走査線及びデータ線を備える第１基板と、共通電極を備える第２基板と、前記第１基板と前記第２基板との間に設けられた電気光学物質とを備える電気光学装置であって、
前記データ線を介して表示すべき階調に応じたデータ電圧を前記画素電極に供給する駆動部と、
前記共通電極に共通電位を供給する第１電源部と、
前記駆動部に電源電位を供給する第２電源部と、
前記電気光学装置の電源をオン状態からオフ状態へ遷移させる場合、前記共通電位の出力を停止するように前記第１電源部を制御してから、所定時間経過後、前記電源電位の出力を停止するように前記第２電源部を制御する制御部と、
を備えることを特徴とする電気光学装置。
【請求項２】
前記所定時間は、前記共通電位の出力を停止するように前記第１電源部を制御してから前記共通電極の電位が所定値以下となるまでの時間である、
ことを特徴とする請求項１に記載の電気光学装置。
【請求項３】
前記電気光学物質は液晶であり、
前記画素電極と前記共通電極に最大階調に応じた電圧を印加した場合の前記液晶の透過率を１００％としたとき、
前記所定時間は、前記液晶の透過率が１００％の状態で前記共通電位の出力を停止するように前記第１電源部を制御してから前記液晶の透過率が所定の透過率となるまでの時間である、
ことを特徴とする請求項１に記載の電気光学装置。
【請求項４】
前記共通電位の出力を停止するように前記第１電源部を制御してから前記共通電極の電位がグランド電位になるまでの時間をｔとすると、
前記所定時間は、ｔ／３以上ｔ／２以下である
ことを特徴とする請求項１に記載の電気光学装置。
【請求項５】
請求項１乃至４のうちいずれか１項に記載の電気光学装置を備えたことを特徴とする電子機器。
【請求項６】
画素電極、当該画素電極に接続されたスイッチング素子、並びに、該スイッチング素子に接続された走査線及びデータ線を備える第１基板と、共通電位が供給される共通電極を備える第２基板と、前記第１基板と前記第２基板との間に設けられた電気光学物質と、電源電位の供給を受けて動作し、前記前記データ線を介して表示すべき階調に応じたデータ電圧を前記画素電極に供給する駆動部とを備える電気光学装置の制御方法であって、
前記電気光学装置の電源をオン状態からオフ状態へ遷移させる場合、
前記共通電極へ前記共通電位を出力することを停止し、
前記共通電位の出力停止から、所定時間経過後、前記電源電位を前記駆動部に供給することを停止する、
ことを特徴とする電気光学装置の制御方法。
【請求項７】
前記所定時間は、前記共通電位の出力停止から前記共通電極の電位が所定値以下となるまでの時間である、
ことを特徴とする請求項６に記載の電気光学装置の制御方法。
【請求項８】
前記共通電位の出力停止から前記共通電極の電位がグランド電位になるまでの時間をｔとすると、前記所定期間は、ｔ／３以上ｔ／２以下である
ことを特徴とする請求項６に記載の電気光学装置の制御方法。
【発明の詳細な説明】
【技術分野】
【０００１】
本発明は、電気光学装置、電子機器、及び電気光学装置の制御方法に関する。
【背景技術】
【０００２】
液晶パネルを含む液晶装置の電源をオフする際に、当該液晶パネルにユーザが意図しない不規則な表示（残像現象）が生じてしまうことがある。従来より、この問題を解決するための技術が種々提案されている。例えば特許文献１に開示された技術では、液晶装置の電源オフ時に、最初、液晶パネルに黒画面を表示させ、この黒画面表示をホールドさせると共に種々の電源オフに係る処理を実行する。
【先行技術文献】
【特許文献】
【０００３】
【特許文献１】特開２００１−２４９３２０号公報
【発明の概要】
【発明が解決しようとする課題】
【０００４】
ところで、上述したユーザが意図しない不規則な表示（残像現象）を生じさせる主な原因の一つは、液晶装置の電源をオフする際に画素電極と共通電極との間に電位差が生じてしまうことにある。特許文献１に開示されている技術では、この原因については何ら解消されていない。また、液晶パネルに黒画面を表示させる処理を別途行うため、電源オフに要する時間が長くなってしまう。
本発明は、上述した事情に鑑みてなされたものであり、例えば液晶等の電気光学物質を含む表示パネルを備える電気光学装置の電源がオン状態からオフ状態へ遷移する際に、表示パネルにユーザが意図しない表示が為されてしまうことを抑制する電気光学装置、電子機器、及び電気光学装置の制御方法を提供することを解決課題とする。
【課題を解決するための手段】
【０００５】
この課題を解決するために、本発明の第１の態様に係る電気光学装置は、画素電極、当該画素電極に接続されたスイッチング素子、並びに、該スイッチング素子に接続された走査線及びデータ線を備える第１基板と、共通電極を備える第２基板と、前記第１基板と前記第２基板との間に設けられた電気光学物質とを備える電気光学装置であって、前記データ線を介して表示すべき階調に応じたデータ電圧を前記画素電極に供給する駆動部と、前記共通電極に共通電位を供給する第１電源部と、前記駆動部に電源電位を供給する第２電源部と、前記電気光学装置の電源をオン状態からオフ状態へ遷移させる場合、前記共通電位の出力を停止するように前記第１電源部を制御してから、所定時間経過後、前記電源電位の出力を停止するように前記第２電源部を制御する制御部と、を備えることを特徴とする。
第１の態様に係る電気光学装置によれば、例えば液晶等の電気光学物質を含む表示パネルを備える電気光学装置の電源がオン状態からオフ状態へ遷移する際に、共通電位の出力を停止するように第１電源部が制御されてから、「所定時間」経過後、駆動部への電源電位の出力を停止するように第２電源部が制御される。共通電極には大きな容量が付随するため、共通電位の供給が停止されても共通電極の電位がグランド電位に至るまでにはある程度時間が掛るところ、この制御によれば、共通電極への共通電位の供給が停止された時点から所定時間経過して当該共通電極の電位が或る程度低下した後に、駆動部による画素電極へのデータ電圧の供給が停止される。よって、共通電極と画素電極との間に、表示パネルに視認可能な階調の変化が生じる程度の電位差が発生してしまうことを抑制することができる。つまり、当該電気光学装置の電源がオン状態からオフ状態へ遷移する際に、表示パネルにユーザが意図しない表示が為されてしまうことを抑制することができる。
【０００６】
本発明の第２の態様に係る電気光学装置は、第１の態様に係る電気光学装置であって、前記所定時間は、前記共通電位の出力を停止するように前記第１電源部を制御してから前記共通電極の電位が所定値以下となるまでの時間であることを特徴とする。
第２の態様に係る電気光学装置によれば、電気光学装置の電源がオン状態からオフ状態へ遷移する際に、共通電位の出力を停止するように第１電源部が制御されてから、「共通電極の電位が所定値以下となるまでの時間」経過後、駆動部への電源電位の出力を停止するように第２電源部が制御される。共通電極には大きな容量が付随するため、共通電位の供給が停止されても共通電極の電位がグランド電位に至るまでにはある程度時間が掛るところ、この制御によれば、共通電極と画素電極との間に、表示パネルに視認可能な階調の変化が生じる程度の電位差が発生してしまうことを抑制することができる。
【０００７】
本発明の第３の態様に係る電気光学装置は、第１の態様に係る電気光学装置であって、前記電気光学物質は液晶であり、前記画素電極と前記共通電極に最大階調に応じた電圧を印加した場合の前記液晶の透過率を１００％としたとき、前記所定時間は、前記液晶の透過率が１００％の状態で前記共通電位の出力を停止するように前記第１電源部を制御してから前記液晶の透過率が所定の透過率となるまでの時間であることを特徴とする。
第３の態様に係る電気光学装置によれば、画素電極と共通電極に最大階調に応じた電圧を印加した場合の電気光学物質の透過率を１００％としたとき、当該電気光学装置の電源がオン状態からオフ状態へ遷移する際に、共通電位の出力を停止するように第１電源部が制御されてから、「電気光学物質の透過率が１００％の状態で共通電位の出力を停止するように第１電源部が制御されてから電気光学物質の透過率が所定の透過率となるまでの時間」経過後、駆動部への電源電位の出力を停止するように第２電源部が制御される。共通電極には大きな容量が付随するため、共通電位の供給が停止されても共通電極の電位がグランド電位に至るまでにはある程度時間が掛るところ、この制御によれば、共通電極と画素電極との間に、表示パネルに視認可能な階調の変化が生じる程度の電位差が発生してしまうことを抑制することができる。
【０００８】
本発明の第４の態様に係る電気光学装置は、第１の態様に係る電気光学装置であって、前記共通電位の出力を停止するように前記第１電源部を制御してから前記共通電極の電位がグランド電位になるまでの時間をｔとすると、前記所定時間は、ｔ／３以上ｔ／２以下であることを特徴とする。
第４の態様に係る電気光学装置によれば、共通電位の出力を停止するように第１電源部が制御されてから共通電極の電位がグランド電位になるまでの時間をｔとすると、電気光学装置の電源がオン状態からオフ状態へ遷移する際に、共通電位の出力を停止するように第１電源部が制御されてから、「ｔ／３以上ｔ／２以下の時間」経過後、駆動部への電源電位の出力を停止するように第２電源部が制御される。共通電極には大きな容量が付随するため、共通電位の供給が停止されても共通電極の電位がグランド電位に至るまでにはある程度時間が掛るところ、この制御によれば、共通電極と画素電極との間に、表示パネルに視認可能な階調の変化が生じる程度の電位差が発生してしまうことを抑制することができる。
【０００９】
本発明の第５の態様に係る電子機器は、第１の態様乃至第４の態様のうちいずれか１態様に記載の電気光学装置を備えたことを特徴とする。
第５の態様に係る電子機器によれば、電気光学装置の電源がオン状態からオフ状態へ遷移する際に、表示パネルにユーザが意図しない表示が為されてしまうことを抑制することができる電子機器を提供することができる。
【００１０】
本発明の第６の態様に係る電気光学装置の制御方法は、画素電極、当該画素電極に接続されたスイッチング素子、並びに、該スイッチング素子に接続された走査線及びデータ線を備える第１基板と、共通電位が供給される共通電極を備える第２基板と、前記第１基板と前記第２基板との間に設けられた電気光学物質と、電源電位の供給を受けて動作し、前記前記データ線を介して表示すべき階調に応じたデータ電圧を前記画素電極に供給する駆動部とを備える電気光学装置の制御方法であって、前記電気光学装置の電源をオン状態からオフ状態へ遷移させる場合、前記共通電極へ前記共通電位を出力することを停止し、前記共通電位の出力停止から、所定時間経過後、前記電源電位を前記駆動部に供給することを停止する、ことを特徴とする。
第６の態様に係る電気光学装置の制御方法によれば、例えば液晶等の電気光学物質を含む表示パネルを備える電気光学装置の電源がオン状態からオフ状態へ遷移する際に、共通電位の出力が停止されてから、「所定時間」経過後、駆動部への電源電位の出力が停止される。共通電極には大きな容量が付随するため、共通電位の供給が停止されても共通電極の電位がグランド電位に至るまでにはある程度時間が掛るところ、この制御によれば、共通電極への共通電位の供給が停止された時点から所定時間経過して当該共通電極の電位が所定値以下となった後に、駆動部による画素電極へのデータ電圧の供給が停止されるため、共通電極と画素電極との間に、表示パネルに視認可能な階調の変化が生じる程度の電位差が生じてしまうことを抑制することができる。つまり、当該電気光学装置の電源がオン状態からオフ状態へ遷移する際に、表示パネルにユーザが意図しない表示が為されてしまうことを抑制することができる。
【００１１】
本発明の第７の態様に係る電気光学装置の制御方法は、第６の態様に係る電気光学装置の制御方法であって、前記所定時間は、前記共通電位の出力停止から前記共通電極の電位が所定値以下となるまでの時間であることを特徴とする。
第７の態様に係る電気光学装置の制御方法によれば、電気光学装置の電源がオン状態からオフ状態へ遷移する際に、共通電位の出力を停止するように第１電源部が制御されてから、「共通電位の出力停止から共通電極の電位が所定値以下となるまでの時間」経過後、駆動部への電源電位の出力を停止するように第２電源部が制御される。共通電極には大きな容量が付随するため、共通電位の供給が停止されても共通電極の電位がグランド電位に至るまでにはある程度時間が掛るところ、この制御によれば、共通電極と画素電極との間に、表示パネルに視認可能な階調の変化が生じる程度の電位差が発生してしまうことを抑制することができる。
【００１２】
本発明の第８の態様に係る電気光学装置の制御方法は、第６の態様に係る電気光学装置の制御方法であって、共通電位の出力停止から前記共通電極の電位がグランド電位になるまでの時間をｔとすると、前記所定期間は、ｔ／３以上ｔ／２以下であることを特徴とする。
第８の態様に係る電気光学装置の制御方法によれば、共通電位の出力停止から前記共通電極の電位がグランド電位になるまでの時間をｔとすると、電気光学装置の電源がオン状態からオフ状態へ遷移する際に、共通電位の出力を停止するように第１電源部が制御されてから、「ｔ／３以上ｔ／２以下の時間」経過後、駆動部への電源電位の出力を停止するように第２電源部が制御される。共通電極には大きな容量が付随するため、共通電位の供給が停止されても共通電極の電位がグランド電位に至るまでにはある程度時間が掛るところ、この制御によれば、共通電極と画素電極との間に、表示パネルに視認可能な階調の変化が生じる程度の電位差が発生してしまうことを抑制することができる。
【図面の簡単な説明】
【００１３】
【図１】本発明の一実施形態に係る液晶装置の構成例を示す図。
【図２】図１に示す液晶装置の画素の構成例を示す図。
【図３】従来の方式で当該液晶装置１の電源をオン状態からオフ状態へ遷移させた場合の、液晶パネルの光応答の変化と、データ線に供給されるデータ信号の変化と、共通電極に供給される共通電位ＬＣｃｏｍの変化とを示すグラフ。
【図４】液晶パネルの透過率を特定するための手段を示す図。
【図５】本発明の一実施形態に係る液晶装置を適用したＥＶＦを備えるデジタルカメラの構成例を示す外観図。
【図６】本発明の一実施形態に係る液晶装置を適用したＨＭＤの構成例を示す外観図。
【図７】図６に示すＨＭＤの光学的な構成を示す図。
【図８】本発明の一実施形態に係る液晶装置を適用した投射型表示装置（３板式のプロジェクタ）の構成例を示す図。
【発明を実施するための形態】
【００１４】
以下、本発明の実施形態について図面を参照して説明する。なお、使用する図面は、説明する部分が認識可能な状態となるように、適宜拡大または縮小して表示している。
本実施形態では、薄膜トランジスター（Thin Film Transistor；TFT）を画素のスイッチング素子として備えた電気光学装置としてのアクティブマトリクス型の液晶装置を例に挙げて説明する。
【００１５】
図１は、本発明の一実施形態に係る液晶装置の構成例を示す図である。図１に示すように、本実施形態の液晶装置１は、液晶パネル１００と、駆動回路部１５０と、第１電源部１５１と、第２電源部１５３と、制御部１５７と、を備える。を備える。駆動回路部１５０は、走査線駆動回路１２０と、データ線駆動回路１３０と、画像信号処理回路１５５と、を備える。この例では、液晶パネル１００の外部に駆動回路部１５０が設けられているが、走査線駆動回路１２０とデータ線駆動回路１３０の少なくとも一方を液晶パネル１００に設けてもよい。
液晶パネル１００には、複数本の走査線１１２が行方向（Ｘ方向）に延接される一方、複数本のデータ線１１４が図において列方向（Ｙ方向）に延設されている。そして、これらの走査線１１２とデータ線１１４との交差の各々に対応するように画素１１０がそれぞれ設けられている。
本実施形態では、走査線１１２の本数（行数）がｎ本であり、データ線１１４の本数（列数）が、ｍ本ある。走査線駆動回路１２０は、ｎ本の走査線１１２を順次選択して走査信号Ｙ１〜Ｙｎを走査線１１２に供給する。データ線駆動回路１３０は供給される画像信号Ｖ１を線順次のデータ信号Ｖｄ１〜Ｖｄｍに変換してデータ線１１４に供給する。
【００１６】
画素１１０は、図２に示すように構成されている。すなわち、画素１１０においては、ｎチャネル型のＴＦＴ１１６のソースがデータ線１１４に接続されるとともに、ドレインが画素電極１１８に接続され、ゲートが走査線１１２に接続されている。また、画素電極１１８に対向するように共通電極１０８が全画素に対して共通に設けられるとともに、一定の共通電位ＬＣｃｏｍに維持される。そして、これらの画素電極１１８と共通電極１０８との間に液晶層１０５が挟持されている。このため、画素毎に、画素電極１１８、共通電極１０８および液晶層１０５からなる液晶容量が構成されることになる。
【００１７】
また、液晶容量において電荷をリークしにくくさせるために、蓄積容量１０９が画素毎に形成されている。この蓄積容量１０９の一端は画素電極１１８に接続され、その他端は全画素にわたって一定の共通電位ＬＣｃｏｍに維持される。なお、画素１１０におけるＴＦＴ１１６は、走査線駆動回路１２０やデータ線駆動回路１３０の構成素子と共通の製造プロセスで形成されている。
ここで、液晶層１０５に印加する電圧を交流駆動するため、共通電位ＬＣｃｏｍを基準として画素電極１１８の電圧の極性が所定周期で反転するようにデータ信号Ｖｄ１〜Ｖｄｍが供給される。
【００１８】
第１電源部１５１は、上述した一定の共通電位ＬＣｃｏｍを生成して共通電極１０８へ供給する。第２電源部１５３は、駆動回路部１５０の各部に電源電位を供給する。すなわち、第２電源部１５３は、走査線駆動回路１２０、データ線駆動回路１３０、及び画像信号処理回路１５５に所定の電源電位を供給して駆動する。画像信号処理回路１５５は、供給された映像信号に基づいて画像信号を生成し、データ線駆動回路１３０に出力する。
制御部１５７は、第１電源部１５１及び第２電源部１５３による電位の供給に係るタイミングを制御する。また、制御部１５７は、走査線駆動回路１２０への走査信号の出力タイミングを制御すると共に、データ線駆動回路１３０への画像信号の出力タイミングを制御する。
【００１９】
ところで、図２において破線部１６０で囲まれた容量１６３及び抵抗１６５は、共通電極１０８近傍の構成部品及び当該共通電極１０８と第１電源部１５１との間に介在する種々の構成部品に起因して生じる電気的要素を等価的に示したものである。
すなわち、共通電極１０８及び蓄積容量１０９の一端と、それらに共通電位ＬＣｃｏｍを供給する第１電源部１５１との間には、等価的に容量１６３と抵抗１６５とが挿入されている。容量１６３は、例えば、第１電源部１５１から共通電極１０８に至る配線に設けられたデカップリング容量や、共通電極１０８とグランド電位が供給される配線との間の寄生容量などを総合したものである。また、抵抗１６５は、共通電極１０８やグランド電位が供給される配線等に係る寄生抵抗である。容量１６３は、当該液晶装置１の電源をオン状態からオフ状態へ遷移させる場合、以下説明する図３に示す事象を生じさせてしまう程度に大きい。
【００２０】
図３は、従来の方式で当該液晶装置１の電源をオン状態からオフ状態へ遷移させた場合の、液晶パネル１００（液晶層１０５）の光応答の変化と、データ線駆動回路１３０からデータ線１１４に供給されるデータ信号（データ線の電位）の変化と、共通電極１０８に供給される共通電位ＬＣｃｏｍの変化とを示すグラフである。
同図に示す例では、時刻ｔ１において当該液晶装置１の電源をオン状態からオフ状態へ遷移させる処理が開始されている。すなわち図３に示す例では、制御部１５７は、時刻ｔ１において、第１電源部１５１を制御して共通電位ＬＣｃｏｍの供給を停止させるとともに、第２電源部１５３を制御して駆動回路部１５０への電源電位の供給を停止させる。
【００２１】
このような従来の制御方式を採用した場合、図３に示すようにデータ線１１４の電位は直ちに零となる一方、共通電極１０８の電位は漸次低下していき時刻ｔ２において零となる。これは、データ線１１４とグランド電位が供給される配線との間に発生する寄生容量及び抵抗で定まる時定数をＴ１、共通電極１０８の容量１６３及び抵抗１６５で定まる時定数をＴ２とすると、時定数Ｔ２は時定数Ｔ１より遥かに大きいからである。より詳細には、データ線１１４には、表示すべき階調に応じて電位が変動するデータ信号が供給されるため、そこに容量を付加することはない。一方、共通電極１０８の共通電位ＬＣｃｏｍは安定した一定電位であることが必要とされるため、デカップリングのコンデンサなどを付加して電位の安定を図ることが一般的だからである。
従って、図３において時刻ｔ１から時刻ｔ２までの期間、共通電極１０８の電位は大きな時定数Ｔ２でグランド電位に漸近していくのに対し、画素電極１１８の電位は小さな時定数Ｔ１でグランド電位に漸近する。よって、当該期間では、画素電極１１８の電位よりも共通電極１０８の電位が高い状態となってしまう。よって、当該期間においては、画素電極１１８と共通電極１０８との間に電位差が生じて、結果として図３に示すように液晶層１０５に光応答が生じてしまう。これにより、時刻ｔ１から時刻ｔ２までの期間において、液晶パネル１００においてユーザに視認され得る階調の変化が生じてしまう。このような階調の変化は、例えば液晶パネル１００において所謂白スジとしてユーザに視認されてしまうこともあり、当該ユーザに不快感を与えてしまうことがある。
【００２２】
このような事象が生じることを抑制するため、本実施形態に係る液晶装置１では、制御部１５７が次のような制御を実行する。すなわち、当該液晶装置１の電源をオン状態からオフ状態へ遷移させる場合、制御部１５７は、共通電位ＬＣｃｏｍの出力を停止するように第１電源部１５１を制御してから、「所定時間」経過後、駆動回路部１５０への電源電位の出力を停止するように第２電源部１５３を制御する。
【００２３】
ここで、「所定時間」は次のように設定される。
（設定方法１）共通電位ＬＣｃｏｍの出力を停止するように第１電源部１５１を制御してから、共通電極１０８の電位が所定値以下となるまでの時間を所定時間とする。
（設定方法２）画素電極１１８と共通電極１０８とに最大階調に応じた電圧を印加した場合の液晶パネル１００の透過率を１００％とし、液晶パネル１００の透過率が１００％の状態で共通電位ＬＣｃｏｍの出力を停止するように第１電源部１５１を制御してから液晶パネル１００の透過率が所定の透過率となるまでの時間を所定時間とする。ここで、透過率は、図４に示す方法によって特定される値である。
【００２４】
図４は、液晶パネル１００の透過率を特定するための手段の一例を示す図である。同図に示す例では、光源５０と、照度計５５とを用いて液晶パネル１００の透過率を特定する。光源５０は、例えばＬＥＤ（Light Emitting Diode）等である。照度計５５は、例えば、フォトダイオード（Photo Diode）と、該フォトダイオードの光電流を電圧に変換する電流／電圧変換部と、電流／電圧変換部の出力電圧に基づいて入射光の照度を特定する照度特定部とを備える。
【００２５】
同図に示す構成を用いて、画素電極１１８と共通電極１０８とに最大階調に応じた電圧を印加した場合に照度計５５によって特定される照度の値を照度Ｅ１（lx）とする。一方、その他の場合に照度計５５によって特定される照度の値を照度Ｅ２（lx）とする。このとき、Ｅ２／Ｅ１によって求まる値を透過率とする。上述した（設定方法２）における「所定の透過率」とは、例えば０．１乃至０．５程度の値である。ここで、Ｅ２／Ｅ１の値を百分率で表すことで、画素電極１１８と共通電極１０８とに最大階調に応じた電圧を印加した場合の液晶パネル１００の透過率が１００（％）として正規化される。この場合、「所定の透過率」とは、例えば１０（％）乃至５０（％）程度の値である。
（設定方法３）
共通電位ＬＣｃｏｍの出力を停止するように第１電源部１５１を制御してから共通電極１０８の電位がグランド電位になるまでの時間をｔとした場合、ｔ／３以上ｔ／２以下の時間を所定時間とする。
【００２６】
以上説明したように、本発明の実施形態によれば、例えば液晶等の電気光学物質を含む表示パネルを備える電気光学装置の電源がオン状態からオフ状態へ遷移する際に、表示パネルにユーザが意図しない表示が為されてしまうことを抑制する電気光学装置、電子機器、及び電気光学装置の制御方法を提供することができる。すなわち、共通電極には大きな容量が付随するため、共通電位の供給が停止されても共通電極の電位がグランド電位に至るまでにはある程度時間が掛るところ、上述した制御によれば、制御部１５７が、共通電位ＬＣｃｏｍの出力を停止するように第１電源部１５１を制御してから「所定時間」経過して共通電極１０８の電位が或る程度低下した後に、駆動回路部１５０への電源電位の出力を停止するように第２電源部１５３を制御することで、共通電極１０８と画素電極１１８との間に、液晶パネル１００に視認可能な階調の変化が生じる程度の電位差が発生してしまうことを抑制することができる。
【００２７】
本発明の実施形態に係る電気光学装置、及び電気光学装置の制御方法は、例えば以下に示す種々の装置に適用することができる。
［第１応用例］
本発明の一実施形態に係る液晶装置１は、例えば覗き込み型の電子ビューファインダー（ＥＶＦ: Electronic View Finder）を備えるデジタルカメラに適用することができる。図５は、デジタルカメラの構成例を示す外観図である。同図に示すように、デジタルカメラ１０は、レンズ１１、表示部１６、レリーズボタン１８ａ、電源ボタン１８ｂ、カーソルボタン/決定ボタン１８ｃ、ＥＶＦの覗き込み検知のためのセンサ１４、及びＥＶＦ１ｅ等を備える。ここで、ＥＶＦは、ＥＶＦ用画像表示部としての液晶パネルと、液晶パネルを駆動する駆動制御部と、を含む液晶装置を備える。この液晶装置に、本発明の一実施形態に係る液晶装置を適用する。
【００２８】
［第２応用例］
本発明の一実施形態に係る液晶装置１は、例えばヘッドマウント・ディスプレイに適用することができる。図６は、ヘッドマウント・ディスプレイの外観を示す図であり、図７は、その光学的な構成を示す図である。まず、図６に示されるように、ヘッドマウント・ディスプレイ３００は、外観的には、一般的な眼鏡と同様にテンプル３１０や、ブリッジ３２０、レンズ３０１Ｌ、３０１Ｒを有する。また、ヘッドマウント・ディスプレイ３００は、図７に示されるように、ブリッジ３２０近傍であってレンズ３０１Ｌ、３０１Ｒの奥側（図において下側）には、左眼用の液晶装置１Ｌと右眼用の液晶装置１Ｒとが設けられる。液晶装置１Ｌの画像表示面は、図７において左側となるように配置している。これによって液晶装置１Ｌによる表示画像は、光学レンズ３０２Ｌを介して図において９時の方向に出射する。ハーフミラー３０３Ｌは、液晶装置１Ｌによる表示画像を６時の方向に反射させる一方で、１２時の方向から入射した光を透過させる。液晶装置１Ｒの画像表示面は、液晶装置１Ｌとは反対の右側となるように配置している。これによって液晶装置１Ｒによる表示画像は、光学レンズ３０２Ｒを介して図において３時の方向に出射する。ハーフミラー３０３Ｒは、液晶装置１Ｒによる表示画像を６時方向に反射させる一方で、１２時の方向から入射した光を透過させる。
【００２９】
この構成において、ヘッドマウント・ディスプレイ３００の装着者は、液晶装置１Ｌ、１Ｒによる表示画像を、外の様子と重ね合わせたシースルー状態で観察することができる。また、このヘッドマウント・ディスプレイ３００において、視差を伴う両眼画像のうち、左眼用画像を液晶装置１Ｌに表示させ、右眼用画像を液晶装置１Ｒに表示させると、装着者に対し、表示された画像があたかも奥行きや立体感を持つかのように知覚させることができる（３Ｄ表示）。
【００３０】
［第３応用例］
本発明の一実施形態に係る液晶装置１は、例えばプロジェクタに適用することができる。図８は、本発明の一実施形態に係る液晶装置１を適用した投射型表示装置（３板式のプロジェクタ）４００の模式図である。投射型表示装置４００は、相異なる表示色（赤色，緑色，青色）に対応する３個の液晶装置１（１R,１G,１B）を含んで構成される。照明光学系４０１は、照明装置（光源）４０２からの出射光のうち赤色成分ｒを液晶装置１Rに供給し、緑色成分ｇを液晶装置１Gに供給し、青色成分ｂを液晶装置１Bに供給する。各液晶装置１は、照明光学系４０１から供給される各単色光を表示画像に応じて変調する光変調器（ライトバルブ）として機能する。投射光学系４０３は、各液晶装置１からの出射光を合成して投射面４０４に投射する。
【符号の説明】
【００３１】
１…液晶装置、  ５０…光源、  ５５…照度計、  １００…液晶パネル、  １０５…液晶層、  １０８…共通電極、  １０９…蓄積容量、  １１０…画素、  １１２…走査線、  １１４…データ線、  １１８…画素電極、  １２０…走査線駆動回路、  １３０…データ線駆動回路、  １５０…駆動回路部、  １５１…第１電源部、  １５３…第２電源部、  １５５…画像信号処理回路、  １５７…制御部、  １６３…コンデンサ、  １６５…抵抗。
【図１】
2015045717.tif 000003
【図２】
2015045717.tif 000004
【図３】
2015045717.tif 000005
【図４】
2015045717.tif 000006
【図５】
2015045717.tif 000007
【図６】
2015045717.tif 000008
【図７】
2015045717.tif 000009
【図８】
2015045717.tif 000010